(57)【特許請求の範囲】
【請求項１】
無線装置（Radio Equipment : RE）が、リンクアラーム情報を受信した後、前記リンクアラーム情報の出所を判定するステップと、
前記REが、前記出所の判定の結果に応じて、予め設定された多種のリンクアラーム情報報告方式から1つのリンクアラーム情報報告方式を選択するステップと、
前記REが、選択されたリンクアラーム情報報告方式に従って、前記リンクアラーム情報を無線装置制御装置（Radio Equipment Control :REC）に報告するステップと
を含み、
前記多種のリンクアラーム情報報告方式は、
データ検証機能を備えるデータリンク層伝送チャネル又はデータネットワーク層伝送チャネルを介して、前記リンクアラーム情報を前記RECに報告すること、又は、
前記REと前記RECとの間の物理層チャネルを介して、前記リンクアラーム情報を前記RECに報告すること、又は、
前記REにカスケード接続された前段のREを介して、前記リンクアラーム情報を前記RECに報告すること
を含み、
前記REがリンクアラーム情報報告方式を選択するステップは、
前記リンクアラーム情報の出所が前記REのマスタポート又は当該REにカスケード接続された後段のREである場合、データ検証機能を備えるデータリンク層伝送チャネル又はデータネットワーク層伝送チャネルを介して、前記リンクアラーム情報を前記RECに報告するリンクアラーム情報報告方式を選択し、
前記リンクアラーム情報の出所が前記REのスレーブポートである場合、前記REにカスケード接続された前段のREを介して、前記リンクアラーム情報を前記RECに報告するリンクアラーム情報報告方式を選択するか、又は前記REと前記RECとの間の物理層チャネルを介して、前記リンクアラーム情報を前記RECに報告するリンクアラーム情報報告方式を選択する
ことを含むカスケード装置のアラーム報告方法。
【請求項２】
前記REにカスケード接続された前段のREを介して、前記リンクアラーム情報を前記RECに報告することは、
前記REが、前記リンクアラーム情報を、前記REにカスケード接続された前段のREのマスタポートに送信し、
前記前段のREのマスタポートが、前記リンクアラーム情報を受信した後、当該リンクアラーム情報を、データ検証機能を備えるデータリンク層伝送チャネル又はデータネットワーク層伝送チャネルを介して、前記RECに報告する
ことを含むことを請求項１に記載の方法。
【請求項３】
前記データ検証機能を備えるデータリンク層伝送チャネル又はデータネットワーク層伝送チャネルを介して、前記リンクアラーム情報を前記RECに報告することは、
前記REが前記リンクアラーム情報を前記データリンク層伝送チャネル又はデータネットワーク層伝送チャネルに送信し、
前記データリンク層伝送チャネル又はデータネットワーク層伝送チャネルが、受信されたリンクアラーム情報に対して巡回冗長検査（Cyclic Redundancy Check : CRC）処理を行い、処理後のリンクアラーム情報を前記RECに送信し、
前記RECが、前記リンクアラーム情報を受信した後、当該リンクアラーム情報に対してCRC検査を行い、検査が成功した場合に、前記リンクアラーム情報を運用保守センター（Operation Maintenance Center : OMC）に報告する
ことを含む請求項１に記載の方法。
【請求項４】
前記REが、前記リンクアラーム情報を前記REにカスケード接続された前段のREのマスタポートに送信することは、
前記REが、共通無線インターフェイス（Common Public Radio Interface : CPRI）によって定義された制御ワードに前記リンクアラーム情報を含ませ、当該制御ワードを前記REにカスケード接続された前段のREのマスタポートに送信することを含み、
前記前段のREのマスタポートが前記リンクアラーム情報を受信することは、
前記前段のREのマスタポートが、前記制御ワードを受信した後、当該制御ワードを解析して前記リンクアラーム情報を取得することを含む
請求項２に記載の方法。
【請求項５】
前記データリンク層伝送チャネルは、ハイレベル・データ・リンク制御（High-level Data Link Control : HDLC）チャネルを含み、
前記データネットワーク層伝送チャネルは、イーサネットチャネルを含む
請求項１〜４のいずれか１項に記載の方法。
【請求項６】
無線装置（Radio Equipment : RE）と無線装置制御装置（Radio Equipment Control :REC）とを含む、カスケード装置のアラーム報告システムであって、
前記RECにカスケード接続された前記REが、リンクアラーム情報を受信した後、前記リンクアラーム情報の出所を判定し、前記出所の判定の結果に応じて、予め設定された多種のリンクアラーム情報報告方式から１つのリンクアラーム情報報告方式を選択し、選択されたリンクアラーム情報報告方式に従って、前記リンクアラーム情報を前記RECに報告し、
予め設定された多種のリンクアラーム情報報告方式から１つのリンクアラーム情報報告方式を選択する場合、前記REは、
前記リンクアラーム情報の出所が前記REのマスタポート又は当該REにカスケード接続された後段のREである場合、データ検証機能を備えるデータリンク層伝送チャネル又はデータネットワーク層伝送チャネルを介して、前記リンクアラーム情報を前記RECに報告するリンクアラーム情報報告方式を選択し、
前記リンクアラーム情報の出所が前記REのスレーブポートである場合、前記REにカスケード接続された前段のREを介して、前記リンクアラーム情報を前記RECに報告するリンクアラーム情報報告方式を選択するか、又は、前記REと前記RECとの間の物理層チャネルを介して、前記リンクアラーム情報を前記RECに報告するリンクアラーム情報報告方式を選択する
カスケード装置のアラーム報告システム。
【請求項７】
前記REにカスケード接続された前段のREを介して、前記リンクアラーム情報を前記RECに報告するリンクアラーム情報報告方式を選択する場合、
前記REは、
前記リンクアラーム情報を前記REにカスケード接続された前段のREのマスタポートに送信し、
前記前段のREは、
前記前段のREのマスタポートが前記リンクアラーム情報を受信した後、当該リンクアラーム情報を、データ検証機能を備えるデータリンク層伝送チャネル又はデータネットワーク層伝送チャネルを介して、前記RECに報告する
請求項６に記載のシステム。
【請求項８】
データ検証機能を備えるデータリンク層伝送チャネル又はデータネットワーク層伝送チャネルを介して、前記リンクアラーム情報を前記RECに報告する場合、
前記REは、
前記リンクアラーム情報を、前記データリンク層伝送チャネル又はデータネットワーク層伝送チャネルに送信し、
前記データリンク層伝送チャネル又はデータネットワーク層伝送チャネルは、
受信されたリンクアラーム情報に対して巡回冗長検査（Cyclic Redundancy Check : CRC）処理を行い、処理後のリンクアラーム情報を前記RECに送信し、
前記RECは、
前記リンクアラーム情報を受信した後、当該リンクアラーム情報に対してCRC検査を行い、検査が成功した場合、前記リンクアラーム情報を運用保守センター（Operation Maintenance Center : OMC）に報告し、検査が失敗した場合、該リンクアラーム情報を破棄する
請求項６又は７に記載のシステム。
【請求項９】
リンクアラーム情報を受信するアラーム受信ユニットと、
前記リンクアラーム情報の出所を判定する出所判定ユニットと、
前記出所の判定の結果に応じて、予め設定された多種のリンクアラーム情報報告方式から１つのリンクアラーム情報報告方式を選択する報告方式選択ユニットと、
前記報告方式選択ユニットによって選択されたリンクアラーム情報報告方式に従って、前記リンクアラーム情報を無線装置制御装置（Radio Equipment Control :REC）に報告するアラーム報告ユニットと
を含む無線装置（Radio Equipment : RE）であって、
前記報告方式選択ユニットは、
前記リンクアラーム情報の出所が前記REのマスタポート又は当該REにカスケード接続された後段のREである場合、データ検証機能を備えるデータリンク層伝送チャネル又はデータネットワーク層伝送チャネルを介して、前記リンクアラーム情報を前記RECに報告するリンクアラーム情報報告方式を選択するマスタポート選択ユニットと、
前記リンクアラーム情報の出所が前記REのスレーブポートである場合、前記REにカスケード接続された前段のREを介して、前記リンクアラーム情報を前記RECに報告し、又は前記REと前記RECとの間の物理層チャネルを介して、前記リンクアラーム情報を前記RECに報告するリンクアラーム情報報告方式を選択するスレーブポート選択ユニットと
を含む無線装置。
【請求項１０】
前記アラーム報告ユニットは、第1の報告ユニット及び/又は第２の報告ユニットを含み、
第１の報告ユニットは、前記REにカスケード接続された前段のREのマスタポートに、物理リンク層伝送チャネル又はデータネットワーク層伝送チャネルを介して、前記リンクアラーム情報を送信することで、前記前段のREのマスタポートに対して、前記リンクアラーム情報を受信した後に、データ検証機能を備えるデータリンク層伝送チャネル又はデータネットワーク層伝送チャネルを介して、当該リンクアラーム情報を前記RECに報告ことを指示し、
第２の報告ユニットは、前記リンクアラーム情報を前記データリンク層伝送チャネル又はデータネットワーク層伝送チャネルに送信することで、前記データリンク層伝送チャネル又はデータネットワーク層伝送チャネルに対して、受信されたリンクアラーム情報の巡回冗長検査（Cyclic Redundancy Check : CRC）処理を行うこと、及び処理後のリンクアラーム情報を前記RECに送信することを指示する
請求項９に記載の無線装置。
【発明の詳細な説明】
【技術分野】
【０００１】
本発明は、通信技術分野に関し、特に、カスケード装置のアラーム報告方法、カスケード装置のアラーム報告システム及び無線装置に関する。
【背景技術】
【０００２】
共通公衆無線インターフェイス（Common Public Radio Interface：CPRI）は、通信業界における多数の会社の共同・協力により発表された標準規格であり、無線基地局内部の無線装置制御装置（Radio Equipment Control：REC）と無線装置（Radio Equipment：RE）との間の重要なインターフェイスを標準化している。CPRI標準に基づいて、ベースバンドユニットと無線ユニットとの間のインターフェイスの汎用性を向上させることができ、これは、様々なメーカーのベースバンドユニットと無線ユニットとの相互間接続の実現にも有利である。RECとREは、一般的に光ファイバー又はケーブルを介して接続され、スター型、チェーン型又はリング型等のネットワークを構成する。
【０００３】
図１においてRECは、ローカル装置であり、各REは、それぞれリモート装置である。ここで説明されるRECは、あるシステムでは、ベースバンド処理ユニット（Build Baseband Unit：BBU）と称され、REは、リモート無線ユニット（Remote Radio Unit：RRU）と称される。REC装置のポートは、マスタポート（Master Port）であり、REC側に近い方のRE装置のポートは、スレーブポート（Slave Port）であり、後段のRE装置と接続される方のRE装置のポートは、マスタポート（Master Port）である。
【０００４】
装置がカスケード接続されてネットワークが構成される場合において、物理リンクに障害が発生したとき、システムの通常動作に影響が生じてしまう。従って、メンテナンス作業員ができるだけ素早く対処することができるように、アラーム情報を素早くかつ正確に報告する必要がある。
【０００５】
現在、無線通信システムにおいて、カスケード接続されたリモート装置によって生成されたアラーム、特に最下層リンクアラームは、一般的に、集中型報告の方法によって報告される。すなわち、カスケード接続された全てのリモート装置が、物理層レイヤチャネル（L1層）を介して、最下層リンクアラーム情報をローカル装置に報告し、その後、ローカル装置がその情報を統一的に集中処理する方法が採用されている。集中型報告の方法は、アラーム情報の報告速度が非常に速いという利点を有している。しかしながら、サポートされるカスケード装置の段階数が多いければ多いほど、また、アラーム情報の分類が細かいければ細かいほど、報告する必要があるデータの量が増大し、データの量が増大するにつれて、アラーム報告を処理するローカル装置に多大な負荷が生じてしまう。10個のポートをサポートするローカル装置を例として、各ポートが最大で16段階のカスケード装置をサポートすることができる場合、ローカル装置が処理する必要があるアラーム情報は、全部で320*n個である。ここで、nは、各段階のリモート装置の各ポートが報告する必要があるアラームの個数である。このような場合において、16段階のカスケードがすべて使用されずに、例えば、2段階、3段階のみのカスケードが使用されることが多いが、このような場合であっても16段階のアラーム情報の検出及び報告が行われるため、多大なリソースが浪費されてしまう。このリソースの多大な浪費は、多くの場合、コストの増加に繋がる。
【０００６】
図２は、従来における、カスケードアラームに対する集中型報告スキームを示す図である。各REのスレーブポートから発生されるアラームALARM_Sと、各REのマスタポートから発生されるアラームALARM_Mとは、それぞれ２つの制御ワードの対応ビット（bit）位置に位置されて報告される。各REは、各REに対応するbitのみを埋め、他のbitに対して透過的な伝送を行う。一例として16段階がサポートされている場合、RECは、32個のアラームビットに対して解析処理を行う必要がある。
【０００７】
また、カスケードネットワークは、リンクが切断又は不安定となった場合、後段における全ての段階の情報を確実に報告することができないという特徴を有している。また、カスケードネットワークは、故障への対処について、一般的に、前段で発生した問題を優先的に処理する必要があるという特徴を有している。集中型のアラーム報告の場合、後段で発生したアラームが、前段における全ての段階のアラームと関連しているので、アラームの関連性は、比較的複雑である。前段における全ての段階においてアラームが存在していない場合にのみ、カスケードによって報告されるアラームが有効になる可能性（あくまで、可能性があるという点に注意されたい）がある。これは、多くの場合、物理層チャネルのリンクエラーに対するアラームは、そこまで厳格とされていないためである。不安定なリンクによって前段において断続的なアラームが発生した場合、アラーム処理時間における相違のため、アラームの関連性が複雑になればなるほど、次段においてエラーアラームが出現する可能性が高くなる。
【０００８】
本発明に至る過程において、発明者は、従来技術に以下のような技術的な問題が存在することを見出した。
【０００９】
従来のカスケード装置の集中型のアラーム報告方式では、報告された大量のアラーム情報をローカル装置が処理する必要があるため、ローカル装置において、リソースの浪費が発生し、処理が非常に複雑となる。さらに、アラームの関連性が複雑であるため、エラーアラームが発生する確率が高くなる。
【発明の概要】
【発明が解決しようとする課題】
【００１０】
本発明は、RECがアラーム情報を処理するときの複雑度を低減し、アラームの関連性を低くすることに用いられるカスケード装置のアラーム報告方法、カスケード装置のアラーム報告システム及び無線装置を提案する。
【課題を解決するための手段】
【００１１】
上記目的を達成するために、本発明の技術的解決法は、以下のように実現される。
【００１２】
本技術に係るカスケード装置のアラーム報告方法は、
無線装置（Radio Equipment : RE）が、リンクアラーム情報を受信した後、前記リンクアラーム情報の出所を判定するステップと、
前記REが、前記出所の判定の結果に応じて、予め設定された多種のリンクアラーム情報報告方式から1つのリンクアラーム情報報告方式を選択するステップと、
前記REが、選択されたリンクアラーム情報報告方式に従って、前記リンクアラーム情報を無線装置制御装置（Radio Equipment Control :REC）に報告するステップとを含む。
【００１３】
前記多種のリンクアラーム情報報告方式は、
データ検証機能を備えるデータリンク層伝送チャネル又はデータネットワーク層伝送チャネルを介して、前記リンクアラーム情報を前記RECに報告すること、又は、
前記REと前記RECとの間の物理層チャネルを介して、前記リンクアラーム情報を前記RECに報告すること、又は、
前記REにカスケード接続された前段のREを介して、前記リンクアラーム情報を前記RECに報告すること
を含んでいてもよい。
【００１４】
前記REがリンクアラーム情報報告方式を選択するステップは、
前記リンクアラーム情報の出所が前記REのマスタポート又は当該REにカスケード接続された後段のREである場合、データ検証機能を備えるデータリンク層伝送チャネル又はデータネットワーク層伝送チャネルを介して、前記リンクアラーム情報を前記RECに報告するリンクアラーム情報報告方式を選択し、
前記リンクアラーム情報の出所が前記REのスレーブポートである場合、前記REにカスケード接続された前段のREを介して、前記リンクアラーム情報を前記RECに報告するリンクアラーム情報報告方式を選択するか、又は前記REと前記RECとの間の物理層チャネルを介して、前記リンクアラーム情報を前記RECに報告するリンクアラーム情報報告方式を選択する
ことを含んでいてもよい。
【００１５】
前記REにカスケード接続された前段のREを介して、前記リンクアラーム情報を前記RECに報告することは、
前記REが、前記リンクアラーム情報を、前記REにカスケード接続された前段のREのマスタポートに送信し、
前記前段のREのマスタポートが、前記リンクアラーム情報を受信した後、当該リンクアラーム情報を、データ検証機能を備えるデータリンク層伝送チャネル又はデータネットワーク層伝送チャネルを介して、前記RECに報告する
ことを含んでいてもよい。
【００１６】
前記データ検証機能を備えるデータリンク層伝送チャネル又はデータネットワーク層伝送チャネルを介して、前記リンクアラーム情報を前記RECに報告することは、
前記REが前記リンクアラーム情報を前記データリンク層伝送チャネル又はデータネットワーク層伝送チャネルに送信し、
前記データリンク層伝送チャネル又はデータネットワーク層伝送チャネルが、受信されたリンクアラーム情報に対して巡回冗長検査（Cyclic Redundancy Check : CRC）処理を行い、処理後のリンクアラーム情報を前記RECに送信し、
前記RECが、前記リンクアラーム情報を受信した後、当該リンクアラーム情報に対してCRC検査を行い、検査が成功した場合に、前記リンクアラーム情報を運用保守センター（Operation Maintenance Center : OMC）に報告する
ことを含んでいてもよい。
【００１７】
前記REが、前記リンクアラーム情報を前記REにカスケード接続された前段のREのマスタポートに送信することは、
前記REが、共通無線インターフェイス（Common Public Radio Interface : CPRI）によって定義された制御ワードに前記リンクアラーム情報を含ませ、当該制御ワードを前記REにカスケード接続された前段のREのマスタポートに送信することを含み、
前記前段のREのマスタポートが前記リンクアラーム情報を受信することは、
前記前段のREのマスタポートが、前記制御ワードを受信した後、当該制御ワードを解析して前記リンクアラーム情報を取得することを含んでいてもよい。
【００１８】
前記データリンク層伝送チャネルは、ハイレベル・データ・リンク制御（High-level Data Link Control : HDLC）チャネルを含み、
前記データネットワーク層伝送チャネルは、イーサネットチャネルを含んでいてもよい。
【００１９】
本技術に係るカスケード装置のアラーム報告システムは、無線装置（Radio Equipment : RE）と無線装置制御装置（Radio Equipment Control :REC）とを含み、
前記RECにカスケード接続された前記REが、リンクアラーム情報を受信した後、前記リンクアラーム情報の出所を判定し、前記出所の判定の結果に応じて、予め設定された多種のリンクアラーム情報報告方式から１つのリンクアラーム情報報告方式を選択し、選択されたリンクアラーム情報報告方式に従って、前記リンクアラーム情報を前記RECに報告する。
【００２０】
予め設定された多種のリンクアラーム情報報告方式から１つのリンクアラーム情報報告方式を選択する場合、前記REは、
前記リンクアラーム情報の出所が前記REのマスタポート又は当該REにカスケード接続された後段のREである場合、データ検証機能を備えるデータリンク層伝送チャネル又はデータネットワーク層伝送チャネルを介して、前記リンクアラーム情報を前記RECに報告するリンクアラーム情報報告方式を選択し、
前記リンクアラーム情報の出所が前記REのスレーブポートである場合、前記REにカスケード接続された前段のREを介して、前記リンクアラーム情報を前記RECに報告するリンクアラーム情報報告方式を選択するか、又は、前記REと前記RECとの間の物理層チャネルを介して、前記リンクアラーム情報を前記RECに報告するリンクアラーム情報報告方式を選択してもよい。
【００２１】
前記REにカスケード接続された前段のREを介して、前記リンクアラーム情報を前記RECに報告するリンクアラーム情報報告方式を選択する場合、
前記REは、
前記リンクアラーム情報を前記REにカスケード接続された前段のREのマスタポートに送信し、
前記前段のREは、
前記前段のREのマスタポートが前記リンクアラーム情報を受信した後、当該リンクアラーム情報を、データ検証機能を備えるデータリンク層伝送チャネル又はデータネットワーク層伝送チャネルを介して、前記RECに報告してもよい。
【００２２】
データ検証機能を備えるデータリンク層伝送チャネル又はデータネットワーク層伝送チャネルを介して、前記リンクアラーム情報を前記RECに報告する場合、
前記REは、
前記リンクアラーム情報を、前記データリンク層伝送チャネル又はデータネットワーク層伝送チャネルに送信し、
前記データリンク層伝送チャネル又はデータネットワーク層伝送チャネルは、
受信されたリンクアラーム情報に対して巡回冗長検査（Cyclic Redundancy Check : CRC）処理処理を行い、処理後のリンクアラーム情報を前記RECに送信し、
前記RECは、
前記リンクアラーム情報を受信した後、当該リンクアラーム情報に対してCRC検査を行い、検査が成功した場合、前記リンクアラーム情報を運用保守センター（Operation Maintenance Center : OMC）に報告し、検査が失敗した場合、該リンクアラーム情報を破棄してもよい。
【００２３】
本技術に係る無線装置（Radio Equipment : RE）は、
リンクアラーム情報を受信するアラーム受信ユニットと、
前記リンクアラーム情報の出所を判定する出所判定ユニットと、
前記出所の判定の結果に応じて、予め設定された多種のリンクアラーム情報報告方式から１つのリンクアラーム情報報告方式を選択する報告方式選択ユニットと、
前記報告方式選択ユニットによって選択されたリンクアラーム情報報告方式に従って、前記リンクアラーム情報を無線装置制御装置（Radio Equipment Control :REC）に報告するアラーム報告ユニットとを含む。
【００２４】
前記報告方式選択ユニットは、
前記リンクアラーム情報の出所が前記REのマスタポート又は当該REにカスケード接続された後段のREである場合、データ検証機能を備えるデータリンク層伝送チャネル又はデータネットワーク層伝送チャネルを介して、前記リンクアラーム情報を前記RECに報告するリンクアラーム情報報告方式を選択するマスタポート選択ユニットと、
前記リンクアラーム情報の出所が前記REのスレーブポートである場合、前記REにカスケード接続された前段のREを介して、前記リンクアラーム情報を前記RECに報告し、又は前記REと前記RECとの間の物理層チャネルを介して、前記リンクアラーム情報を前記RECに報告するリンクアラーム情報報告方式を選択するスレーブポート選択ユニットと
を含んでいてもよい。
【００２５】
前記アラーム報告ユニットは、第1の報告ユニット及び/又は第２の報告ユニットを含み、
第１の報告ユニットは、前記REにカスケード接続された前段のREのマスタポートに、物理リンク層伝送チャネル又はデータネットワーク層伝送チャネルを介して、前記リンクアラーム情報を送信することで、前記前段のREのマスタポートに対して、前記リンクアラーム情報を受信した後に、データ検証機能を備えるデータリンク層伝送チャネル又はデータネットワーク層伝送チャネルを介して、当該リンクアラーム情報を前記RECに報告ことを指示し、
第２の報告ユニットは、前記リンクアラーム情報を前記データリンク層伝送チャネル又はデータネットワーク層伝送チャネルに送信することで、前記データリンク層伝送チャネル又はデータネットワーク層伝送チャネルに対して、受信されたリンクアラーム情報の巡回冗長検査（Cyclic Redundancy Check : CRC）処理を行うこと、及び処理後のリンクアラーム情報を前記RECに送信することを指示してもよい。
【００２６】
本発明では、REは、リンクアラーム情報を受信した後、当該リンクアラーム情報の出所を判定し、前記出所の判定の結果に応じて、予め設定された多種のリンクアラーム情報報告方式から１つのリンクアラーム情報報告方式を選択し、そして、選択されたリンクアラーム情報報告方式に従って、リンクアラーム情報をRECに報告する。以上から理解されるように、REは、リンクアラーム情報を受信したときに、全てのリンクアラーム情報を物理層チャネルを介してRECに報告する代わりに、多種の報告方式を選択してリンクアラーム情報をRECに報告することができる。これにより、物理層でRECにより検出する必要があるアラーム情報の数が効果的に低減され、RECでのリソースの浪費と処理の複雑度が低減される。さらに、異なる方式を用いてリンクアラーム情報を報告することができ、これによりアラーム情報間の関連性が低くなり、エラーアラームの確率が低下する。
【図面の簡単な説明】
【００２７】
【図１】従来技術におけるRECとREのカスケードシステムを示す図である。
【図２】従来技術におけるREがリンクアラーム情報を報告することを示す図である。
【図３】本発明に係る実施例の方法のプロセスを示す図である。
【図４】本発明の実施例においてREがリンクアラーム情報を報告することを示す図である。
【図５】本発明に係る実施例のシステム構造図である。
【図６】本発明に係る実施例の装置構造図である。
【発明を実施するための形態】
【００２８】
ローカル装置のリソースの浪費と処理の複雑度を下げ、また、REのエラーアラームの確率を下げるために、本発明の実施例に係るカスケード装置のアラーム報告方法が提案される。本方法において、REは、リンクアラーム情報を受信した後、リンクアラーム情報の出所（source）に応じて、異なるリンクアラーム情報報告方式を選択し、そして選択されたリンクアラーム情報報告方式に従って、リンクアラーム情報をRECに報告する。
【００２９】
図３を参照して、本発明の実施例に係るカスケード装置のアラーム報告方法は、具体的に以下のステップを含む。
【００３０】
ステップ３０：REは、リンクアラーム情報を受信した後、当該リンクアラーム情報の出所を判定する。
【００３１】
ステップ３１：REは、出所の判定の結果に応じて、予め設定された多種のリンクアラーム情報報告方式から1つのリンクアラーム情報報告方式を選択する。
【００３２】
ステップ３２：REは、選択されたリンクアラーム情報報告方式に従って、リンクアラーム情報をRECに報告する。
【００３３】
ステップ３１において、リンクアラーム情報報告方式は、以下の３種類の方式が採用されてもよい。
【００３４】
第１の方式：データ検証機能を備えるデータリンク層伝送チャネル又はデータネットワーク層伝送チャネルを介して、リンクアラーム情報をRECに報告する。
【００３５】
第２の方式：REとRECとの間の物理層チャネルを介して、リンクアラーム情報をRECに報告する。
【００３６】
第３の方式：REにカスケード接続された前段のREに、物理層チャネルを介して、リンクアラーム情報を伝達し、その後、前段のREが、データリンク層伝送チャネル又はデータネットワーク層伝送チャネルを介して、リンクアラーム情報をRECに報告する。
【００３７】
もちろん、リンクアラーム情報報告方式は、以上の３つの方式に限られない。リンク層による報告方式以外の任意の方式は、本発明の保護範囲に属するべきである。
【００３８】
具体的に、REがアラーム情報の出所の判定結果に応じて、リンクアラーム情報報告方式を選択する場合、以下の方式に従って、リンクアラーム情報報告方式を選択してもよい。
【００３９】
リンクアラーム情報の出所がREのマスタポート又は当該REにカスケード接続された後段のREである場合、データ検証機能を備えるデータリンク層伝送チャネル又はデータネットワーク層伝送チャネルを介して、リンクアラーム情報をRECに報告するリンクアラーム情報報告方式を選択する。
【００４０】
リンクアラーム情報の出所がREのスレーブポートである場合、REにカスケード接続された前段のREを介して、リンクアラーム情報をRECに報告するか、又はREとRECとの間の物理層チャネルを介して、リンクアラーム情報を前記RECに報告するリンクアラーム情報報告方式を選択する。具体的には、リンクアラーム情報の出所がREのスレーブポートであり、且つ、当該REにカスケード接続された前段の装置がRECである場合、当該REとRECとの間の物理層チャネルを介して、リンクアラーム情報をRECに報告するリンクアラーム情報報告方式を選択する。リンクアラーム情報の出所がREのスレーブポートであり、且つ、当該REにカスケード接続された前段の装置がREである場合、当該REにカスケード接続された前段のREを介して、リンクアラーム情報をRECに報告するリンクアラーム情報報告方式を選択する。
【００４１】
もちろん、具体的なリンクアラーム情報報告方式の選択は、以上の方式に限らず、必要に応じて任意に設定することができる。
【００４２】
REにカスケード接続された前段のREを介して、リンクアラーム情報をRECに報告する方法は、以下の方法により実現される。REは、リンクアラーム情報を当該REにカスケード接続された前段のREのマスタポートに送信する。前段のREのマスタポートは、リンクアラーム情報を受信した後、当該リンクアラーム情報を、データ検証機能を備えるデータリンク層伝送チャネル又はデータネットワーク層伝送チャネルを介して、RECに報告する。あるいは、REのマスタポートは、リンクアラーム情報を、REとRECとの間の物理層チャネルを介して、直接的にRECに報告する。
【００４３】
データ検証機能を備えるデータリンク層伝送チャネル又はデータネットワーク層伝送チャネルを介して、リンクアラーム情報をRECに報告する方法は、以下の方法により実現される。REは、リンクアラーム情報をデータリンク層伝送チャネル又はデータネットワーク層伝送チャネルに送信する。データリンク層伝送チャネル又はデータネットワーク層伝送チャネルは、リンクアラーム情報を受信した後、当該リンクアラーム情報に対して巡回冗長検査（Cyclic Redundancy Check : CRC）処理を行う（例えば、リンクアラーム情報のCRCチェックサムを計算し、その後、当該CRCチェックサムをリンクアラーム情報に追加する）。そして、処理後のリンクアラーム情報をRECに送信する。RECは、リンクアラーム情報を受信した後、当該リンクアラーム情報に対してCRC検査を行い、検査が成功した場合、リンクアラーム情報を運用保守センター（Operation Maintenance Centre：OMC）に報告し、検査が失敗した場合、当該リンクアラーム情報を破棄する。
【００４４】
REが、当該REにカスケード接続された前段のREのマスタポートにリンクアラーム情報を送信する場合、REは、まず、共通無線インターフェイス（CPRI）によって定義された制御ワードにリンクアラーム情報を含ませ、そして、当該制御ワードをREにカスケード接続された前段のREのマスタポートに送信する。前段のREのマスタポートは、当該制御ワードを受信した後、当該制御ワードを解析してリンクアラーム情報を取得する。
【００４５】
本発明に係るデータリンク層伝送チャネルは、ハイレベル・データ・リンク制御（High-level Data Link Control : HDLC）チャネルを含むがこれに限られない。データネットワーク層伝送チャネルは、イーサネットチャネル（イーサネット：登録商標）を含むがこれに限られない。当該HDLCチャネル又はイーサネットチャネルは、CPRIインターフェイスフレーム構造において定義されたチャネルであってもよく、物理層において、カスケード型光ファイバー又はケーブルを介して搬送される。
【００４６】
以下、具体的な実施例を参照して本発明を具体的に説明する。
【００４７】
本実施例において共通公衆無線インターフェイス（CPRI）を介して相互接続されたシステムを例として説明する。
【００４８】
図１において、RECは、ローカル装置であり、各REは、それぞれリモート装置である。ここで説明されるRECは、あるシステムでは、ベースバンド処理ユニット（Build Baseband Unit：BBU）と称され、REは、リモート無線ユニット（Remote Radio Unit：RRU）と称される。REC装置のポートは、マスタポート（Master Port）であり、REC側に近い方のRE装置のポートは、スレーブポート（Slave Port）であり、後段のRE装置と接続される方のRE装置のポートは、マスタポート（Master Port）である。
【００４９】
RE装置のマスタポート及びスレーブポートのリンク検査によるエラーアラーム報告を一例として、従来の集中型の報告方法と本発明の分散型の報告方法とを比較及び説明する。
【００５０】
図２は、従来における、カスケードアラームに対する集中型の報告方法を示している。各REのスレーブポート及びマスタポートから発生されるアラームALARM_S及び ALARM_Mは、それぞれ２つの制御ワードの対応ビット（bit）位置に位置されて報告される。各REは、REに対応するbitのみを埋め、他のbitに対して透過的な伝送を行う。具体的には、RE#1は、RE#1のスレーブポートから発生されるアラーム（ALARM_S#1）を、制御ワード１のb0ビットによってRECに報告する。また、RE＃１は、RE＃１のマスタポートから発生されるアラーム（ALARM_M#1）を、制御ワード２のb0ビットによってRECに報告する。RE#2は、RE#2のスレーブポートから発生されるアラーム（ALARM_S#2）を、制御ワード１のb１ビットによってRECに報告する。また、RE＃2は、RE＃2のマスタポートから発生されるアラーム（ALARM_M#2）を、制御ワード２のb1ビットによってRECに報告する。RECは、この2つの制御ワードの各bitに対して解析を行うことで、何番目の段階でアラームが発生したかを判断する。一例として16段階がサポートされている場合、RECは、32個のアラームビットに対して解析処理を行う必要がある。
【００５１】
図３は、本発明に係る、カスケードアラームの分散型の報告方法を示している。このタイプのアラームは、１つの制御ワードを占有する。RE#1を例として、RE#1のスレーブポートからのアラーム（ALARM_S#1）は、制御ワードを介して前段に伝達される。また、RE#1のマスタポートからのアラーム（ALARM_M#1）と、マスタポート制御ワードから解析された後段のRE#2のスレーブポートからのアラーム（ALARM_S#2）とは、HDLC又はイーサネットを介して報告される。RE#2では、RE#2のスレーブポートからのアラーム（ALARM_S#2）は、制御ワードを介して前段に伝達され、RE#2のマスタポートからのアラーム（ALARM_M#2）と、マスタポート制御ワードから解析された後段のRE#3のスレーブポートからのアラーム（ALARM_S#3）とは、HDLC又はイーサネットを介して報告される。一例として16段階がサポートされている場合、RECの最下層におけるCPRIインターフェイスは、1つのアラームビットのみに対して解析処理を行ってもよい。HDLCとイーサネットは、既存の固定チャネルであるので、アラーム情報を伝送するために、余計な資源を追加する必要はない。また、HDLC又はイーサネットの方式によるアラーム報告を利用して、その既存のCRC検査とエラーによる再送機能を利用することで、アラーム情報報告の信頼性を更に向上させることができる。
【００５２】
図５を参照して、本発明の実施例に係るカスケードアラーム報告システムは、無線装置（RE）40と、無線装置制御装置（REC）41とを含む。
【００５３】
無線装置（RE）40は、無線装置制御装置（REC）にカスケード接続され、リンクアラーム情報を受信した後、前記リンクアラーム情報の出所を判定し、前記出所の判定の結果に応じて、予め設定された多種のリンクアラーム情報報告方式から１つのリンクアラーム情報報告方式を選択し、選択されたリンクアラーム情報報告方式に従って、前記リンクアラーム情報を前記RECに報告する。
無線装置制御装置（REC）41は、前記リンクアラーム情報を受信する。
【００５４】
前記RE40は、前記リンクアラーム情報の出所が前記REのマスタポート又は当該REにカスケード接続された後段のRE42である場合、データ検証機能を備えるデータリンク層伝送チャネル又はデータネットワーク層伝送チャネル44を介して、前記リンクアラーム情報を前記RECに報告するリンクアラーム情報報告方式を選択する。
前記RE40は、前記リンクアラーム情報の出所が前記REのスレーブポートである場合、前記REにカスケード接続される前段のRE43を介して、前記リンクアラーム情報を前記RECに報告するリンクアラーム情報報告方式を選択するか、又は前記REと前記RECとの間の物理層チャネルを介して、前記リンクアラーム情報を前記RECに報告するリンクアラーム情報報告方式を選択する。
【００５５】
前記RE40は、前記リンクアラーム情報を前記REにカスケード接続された前段のREのマスタポートに送信する。
対応して、前記前段のRE43は、当該前段のREのマスタポートが前記リンクアラーム情報を受信した後、当該リンクアラーム情報を、データ検証機能を備えるデータリンク層伝送チャネル又はデータネットワーク層伝送チャネルを介して、前記RECに報告する。
【００５６】
前記RE40は、前記リンクアラーム情報を前記データリンク層伝送チャネル又はデータネットワーク層伝送チャネルに送信する。
対応して、前記データリンク層伝送チャネル又はデータネットワーク層伝送チャネル44は、受信されたリンクアラーム情報に対してCRC処理を行い、そして処理後のリンクアラーム情報を前記RECに送信する。
前記RECは、前記リンクアラーム情報を受信した後、当該リンクアラーム情報に対して巡回冗長検査（CRC）を行い、検査が成功した場合、前記リンクアラーム情報をOMCに報告し、検査が失敗した場合、当該リンクアラーム情報を破棄する。
【００５７】
前記RE40は、共通無線インターフェイス（CPRI）によって定義された制御ワードに前記リンクアラーム情報を含ませ、そして当該制御ワードを前記REにカスケード接続された前段のREのマスタポートに送信する。
対応して、前記前段のRE43は、当該前段のREのマスタポートが、前記制御ワードを受信した後、当該制御ワードを解析して前記リンクアラーム情報を取得する。
【００５８】
図６を参照して、本発明の実施例に係る無線装置は、アラーム受信ユニット60と、出所判定ユニット61と、報告方式選択ユニット62と、アラーム報告ユニット63とを含む。
【００５９】
前記アラーム受信ユニット60は、リンクアラーム情報を受信する。前記出所判定ユニット61は、前記リンクアラーム情報の出所を判定する。前記報告方式選択ユニット62は、出所の判定の結果に応じて、予め設定された多種のリンクアラーム情報報告方式から１つのリンクアラーム情報報告方式を選択する。前記アラーム報告ユニット63は、前記報告方式選択ユニットによって選択されたリンクアラーム情報報告方式に従って、前記リンクアラーム情報を無線装置制御装置RECに報告する。
【００６０】
前記報告方式選択ユニット62は、以下の３種類のリンクアラーム情報報告方式から1つのリンクアラーム情報報告方式を選択する。
【００６１】
前記３種類の方式は、データ検証機能を備えるデータリンク層伝送チャネル又はデータネットワーク層伝送チャネルを介して、前記リンクアラーム情報を前記RECに報告する方式、又は、前記REと前記RECとの間の物理層チャネルを介して、前記リンクアラーム情報を前記RECに報告する方式、又は、前記REにカスケード接続された前段のREを介して、前記リンクアラーム情報を前記RECに報告する方式である。
【００６２】
前記報告方式選択ユニット62は、マスタポート選択ユニットと、スレーブポート選択ユニットとを含む。
【００６３】
前記マスタポート選択ユニットは、前記リンクアラーム情報の出所が前記REのマスタポート又は当該REにカスケード接続された後段のREである場合、データ検証機能を備えるデータリンク層伝送チャネル又はデータネットワーク層伝送チャネルを介して、前記リンクアラーム情報を前記RECに報告するリンクアラーム情報報告方式を選択する。
【００６４】
スレーブポート選択ユニットは、前記リンクアラーム情報の出所が前記REのスレーブポートである場合、前記REにカスケード接続された前段のREを介して、前記リンクアラーム情報を前記RECに報告するリンクアラーム情報報告方式を選択するか、又は前記REと前記RECとの間の物理層チャネルを介して、前記リンクアラーム情報を前記RECに報告するリンクアラーム情報報告方式を選択する。
【００６５】
前記アラーム報告ユニット63は、第１の報告ユニット及び/又は第２の報告ユニットを含む。
【００６６】
第１の報告ユニットは、前記REにカスケード接続された前段のREのマスタポートに、物理リンク層伝送チャネル又はデータネットワーク層伝送チャネルを介して、前記リンクアラーム情報を送信することで、前記前段のREのマスタポートに対して、前記リンクアラーム情報を受信した後に、データ検証機能を備えるデータリンク層伝送チャネル又はデータネットワーク層伝送チャネルを介して、当該リンクアラーム情報を前記RECに報告ことを指示する。
【００６７】
第２の報告ユニットは、前記リンクアラーム情報を前記データリンク層伝送チャネル又はデータネットワーク層伝送チャネルに送信することで、前記データリンク層伝送チャネル又はデータネットワーク層伝送チャネルに対して、受信されたリンクアラーム情報の巡回冗長検査（Cyclic Redundancy Check : CRC）処理を行うこと、及び処理後のリンクアラーム情報を前記RECに送信することを指示する。
【００６８】
前記第１の報告ユニットは、共通無線インターフェイスCPRIによって定義された制御ワードに前記リンクアラーム情報を含ませ、そして当該制御ワードを、前記REにカスケード接続された前段のREのマスタポートに送信することで、前記前段のREのマスタポートに対して、前記制御ワードを受信した後、当該制御ワードを解析して前記リンクアラーム情報を取得するように指示する。
【００６９】
つまり、本発明は、以下に示すような有益な効果を有している。本発明に係る実施例では、REは、リンクアラーム情報を受信した後、当該リンクアラーム情報の出所を判定し、前記出所の判定の結果に応じて、予め設定された多種のリンクアラーム情報報告方式から１つのリンクアラーム情報報告方式を選択し、そして、選択されたリンクアラーム情報報告方式に従って、リンクアラーム情報をRECに報告する。以上から理解されるように、REは、リンクアラーム情報を受信したときに、全てのリンクアラーム情報を物理層チャネルを介してRECに報告する代わりに、多種の報告方式を選択してリンクアラーム情報をRECに報告することができる。これにより、物理層でRECにより検出する必要があるアラーム情報の数が効果的に低減され、RECでのリソースの浪費と処理の複雑度が低減される。さらに、異なる方式を用いてリンクアラーム情報を報告することができ、これによりアラーム情報間の関連性が低くなり、エラーアラームの確率が低下する。
【００７０】
本発明に係る実施例において、カスケードの段階数に関らず、REC又はREは、そのマスタポート及び後段のスレーブポートから報告されたアラームのみを検出及び報告してもよい。これにより、REC側でのアラーム検出処理の作業が、大きく簡略化される。カスケード接続の場合、REのアラームが前段の装置のみに関連するため、アラームの関連性処理も大きく簡略化される。一例としてRECが10個のポートをサポートする場合において、各ポートが、最大で16段階のカスケード装置をサポートするとき、この方法によれば、RECにより処理が必要とされるアラーム情報は、全部で10*n個である（nは各段階の装置の各ポートにより報告する必要があるアラームの個数である）。これは、既存の集中型の報告方式の1/32にしか相当せず、従って、使用されるリソースの量は、大きく低減される。また、HDLC又はイーサネットの方式によるアラーム報告は、既存のCRC検査とエラーによる再送機能を利用することで、アラーム情報報告の信頼性を更に向上させることができる。
【００７１】
上記のものは本発明の好適な実施形態に過ぎず、本発明はこれに限定されず、種々の変更形態および変形形態が当業者によって可能である。また、特許請求の範囲に規定される本発明の精神及び範囲に逸脱しない限り、あらゆる変更、均等な置換、および改良が可能であることを理解されたい。
【図１】
0005541754.tif 000002
【図２】
0005541754.tif 000003
【図３】
0005541754.tif 000004
【図４】
0005541754.tif 000005
【図５】
0005541754.tif 000006
【図６】
0005541754.tif 000007